(57)【要約】【課題】  金属製または樹脂製の枠部材を結合部材によって枠組みする際に、結合部材を枠部材に対して容易に取付けることができる遊技機の外枠を提供する。【解決手段】  上下左右の枠部材２〜５が金属製または樹脂製であり、金属製または樹脂製の枠部材２〜５が結合部材１１〜１４によって結合されている遊技機の外枠であって、金属製または樹脂製の枠部材２〜５は、枠外側面の前端縁に沿って立設された前端リブ２ａ〜５ａと、枠外側面の後端縁に沿って立設された後端リブ２ｂ，２ｃ，３ｂ〜５ｂを備えている。そして結合部材１１〜１４は、枠部材２〜５の前端リブ２ａ〜５ａと後端リブ２ｂ，２ｃ，３ｂ〜５ｂとの間の枠外側面に取付けられる第一板部１１ａ〜１４ａと第二板部１１ｂ〜１４ｂとを備えている。【選択図】        図３
2006340966.tif 000002
【特許請求の範囲】
【請求項１】
上下左右の枠部材が矩形枠状に枠組みされ、これら枠部材のうちの少なくとも一つが金属製または樹脂製であり、金属製または樹脂製の枠部材が結合部材によって他の枠部材と結合されている遊技機の外枠であって、
前記金属製または樹脂製の枠部材は、枠外側面の前端縁に沿って立設された前端リブと、枠外側面の後端縁に沿って立設された後端リブを備えており、
前記結合部材は、前記枠部材の前端リブと後端リブとの間の枠外側面に取付けられる第一板部と、他の枠部材の枠外側面に取付けられる第二板部を備えていることを特徴とする遊技機の外枠。
【請求項２】
請求項１に記載の遊技機の外枠であって、
上下左右の枠部材のすべてが金属製または樹脂製であって、
これら枠部材のすべてが、枠外側面の前端縁に沿って立設された前端リブと、枠外側面の後端縁に沿って立設された後端リブを備えていることを特徴とする遊技機の外枠。
【発明の詳細な説明】
【技術分野】
【０００１】
本発明は、遊技島に取付けられるパチンコ機やスロットマシンなどの遊技機の外枠に関する。
【背景技術】
【０００２】
上下左右の枠部材が矩形枠状に枠組みされ、これら枠部材のうちの少なくとも一つが樹脂製またはアルミニウム製である遊技機の外枠が従来知られている。この種の枠部材は、木製の枠部材のように木ねじなどによって他の枠部材と結合することが困難であるために、様々な方法によって他の枠部材と結合されていた。
例えば特許文献１によると、右の枠部材と下の枠部材が樹脂製であり、左の枠部材と上の枠部材が木製である。そしてこれら枠部材は、Ｌ字金具である結合部材（補強部材）によって結合されていた。
【特許文献１】特開２００３−２０５１４９号公報
【発明の開示】
【発明が解決しようとする課題】
【０００３】
しかし枠部材を結合部材によって結合する場合は、結合部材を枠部材に対して位置決めしつつ、結合部材を枠部材に取付ける必要がある。しかも結合部材は、枠部材の枠内側面に取付けるため、位置決めが容易でなかった。
そこで本発明は、金属製または樹脂製の枠部材を結合部材によって枠組みする際に、結合部材を枠部材に対して容易に取付けることができる遊技機の外枠を提供することを課題とする。
【課題を解決するための手段】
【０００４】
前記課題を解決するために本発明は、各請求項に記載の通りの構成を備える遊技機の外枠であることを特徴とする。
請求項１に記載の発明によると、枠部材のうちの少なくとも一つが金属製または樹脂製であり、金属製または樹脂製の枠部材が結合部材によって他の枠部材と結合されている遊技機の外枠であって、金属製または樹脂製の枠部材は、枠外側面の前端縁に沿って立設された前端リブと、枠外側面の後端縁に沿って立設された後端リブを備えている。そして結合部材は、枠部材の前端リブと後端リブとの間の枠外側面に取付けられる第一板部と、他の枠部材の枠外側面に取付けられる第二板部を備えている。
【０００５】
したがって結合部材を枠部材の枠外側面に取付けることができるために、結合部材を枠部材の枠内側面に取付ける従来のものよりも容易に結合部材を枠部材に取付けることができる。しかも結合部材を前端リブと後端リブとによって枠部材に対して位置決めさせることができる。そのため結合部材を容易に枠部材に対して位置決めすることができる。
また枠部材は、前端リブと後端リブによって補強されているために、曲げや捩れに対して強い構成になっている。
【０００６】
請求項２に記載の発明によると、上下左右の枠部材のすべてが金属製または樹脂製である。そしてこれら枠部材のすべてが、枠外側面の前端縁に沿って立設された前端リブと、枠外側面の後端縁に沿って立設された後端リブを備えている。
したがって外枠は、上下左右において前端リブと後端リブを有しているため、全体的に曲げや捩りに対して強い構成になっている。
しかも枠部材を結合する結合部材をすべて前端リブと後端リブによって位置決めさせることができる。そのため上下左右の枠部材を容易に枠組みすることができる。
【発明の効果】
【０００７】
本発明によると、金属製または樹脂製の枠部材を結合部材によって枠組みする際に、結合部材を枠部材に対して容易に取付けることができる。しかも美観性にも優れている。
【発明を実施するための最良の形態】
【０００８】
本発明の実施の形態を図１〜７にしたがって説明する。
パチンコ機（遊技機）は、図１に示すように遊技島に固定される外枠１と、外枠１に回動可能に取付けられる前枠３０を有している。
外枠１は、図１，２に示すように矩形枠状であって、アルミニウム製の上下の枠部材２，５と、アルミニウム製の左右の枠部材３，４と、これら枠部材２〜５を結合する結合部材１１〜１４と、幕板６を有している。
幕板６は、図２に示すように下の枠部材５と一体成形されており、下の枠部材５の前端に立設している。そして幕板６は、上下左右の枠部材２〜５を枠組みすることで、左右の枠部材３，４の前面側下寄りにおいて左右の枠部材３，４の間で延出する。
【０００９】
上の枠部材２は、図３に示すように枠外側面の前端縁に沿って立設された前端リブ２ａと、枠外側面の後端縁に沿って立設された二つの後端リブ２ｂ，２ｃを一体に有している。
前端リブ２ａは、枠部材２の長手方向のほぼ全長に渡って延出している。そして枠部材２の左端部には、前端リブ２ａが設けられていない部分が形成されている。
後端リブ２ｂは、枠部材２の左端部において長手方向長さ約三分の一に渡って延出している。後端リブ２ｃは、枠部材２の右端部において長手方向長さ約三分の一に渡って延出している。そして後端リブ２ｂ，２ｃの間には、遊技島からの遊技球を流入させるため、リブが設けられていない部分が形成されている。
【００１０】
他の枠部材３〜５は、図１〜３に示すように枠外側面の前端縁に沿って立設された前端リブ３ａ〜５ａと、枠外側面の後端縁に沿って立設された後端リブ３ｂ〜５ｂを一体に有している。
前端リブ３ａ〜５ａと後端リブ３ｂ〜５ｂは、いずれも枠部材３〜５の長手方向の全長に渡って延出している。
【００１１】
結合部材１１〜１４は、図３に示すように鋼材などの金属材から形成されるＬ字金具であって、第一板部１１ａ〜１４ａと、第一板部１１ａ〜１４ａの側縁に立設する第二板部１１ｂ〜１４ｂを一体に有している。第一板部１１ａ〜１４ａと第二板部１１ｂ〜１４ｂは、取付ねじの足部が挿入される取付孔１１ｃ〜１４ｃを有している。
【００１２】
結合部材１１の第一板部１１ａは、図４，５に示すように上の枠部材２の前端リブ２ａと後端リブ２ｂとの間の枠外側面左端部に設置される。
結合部材１１の第二板部１１ｂは、左の枠部材３の前端リブ３ａと後端リブ３ｂとの間の枠外側面上端部に設置される。
結合部材１２〜１４の第一板部１２ａ〜１４ａと第二板部１２ｂ〜１４ｂは、図６，７または図３に示すように枠部材２〜４の前端リブ２ａ〜５ａと後端リブ２ｃ，３ｂ〜５ｂとの間の枠外側面に設置される。
【００１３】
したがって結合部材１１〜１４は、前端リブ２ａ〜５ａと後端リブ２ｂ，２ｃ，３ｂ〜５ｂとによって第一板部１１ａ〜１４ａと第二板部１１ｂ〜１４ｂとが枠部材２〜５の前後方向に位置決めされる。また結合部材１１〜１４は、Ｌ字内角部を枠部材２〜５の端部に押し当てることによって枠部材２〜５の上下左右方向への位置決めがなされる。
【００１４】
前端リブ２ａ〜５ａと後端リブ２ｂ，２ｃ，３ｂ〜５ｂの高さ寸法は、図５，７に示すように結合部材１１〜１４の厚さ寸法とほぼ同じまたはそれ以上になっている。したがって結合部材１１〜１４は、前端リブ２ａ〜５ａや後端リブ２ｂ，２ｃ，３ｂ〜５ｂから突出しない。そのため外枠１の見栄えが良くなっている。そして外枠１を遊技島に取付ける際において結合部材１１〜１４が引っ掛かる心配もない。
【００１５】
図３に示すように外枠１は、結合部材１１〜１４を枠部材２〜５に保持するために保持部材２１〜２４を有している。
保持部材２１〜２４は、鋼材などの金属板材から形成されるＬ字金具であって、第一取付部２１ａ〜２４ａと第二取付部２１ｂ〜２４ｂを一体に有している。第一取付部２１ａ〜２４ａと第二取付部２１ｂ〜２４ｂは、取付ねじの足部が羅合される雌ねじ部２１ｃ〜２４ｃを有している。
【００１６】
以下に、枠部材２〜５の枠組み方法について説明する。
先ず、枠部材２〜５の枠外側面に結合部材１１〜１４を設置する（図３〜７参照）。設置の際には、前端リブ２ａ〜５ａと後端リブ２ｂ，２ｃ，３ｂ〜５ｂとによって第一板部１１ａ〜１４ａと第二板部１１ｂ〜１４ｂとを位置決めすることができる。
次に、保持部材２１〜２４を枠部材２〜５の枠内側面に設置する。
【００１７】
その状態において結合部材１１〜１４の各取付孔１１ｃ〜１４ｃに取付ねじの足部を挿入する。そして取付ねじの足部を枠部材２，３の貫通孔２ｄ，３ｃに貫通させ、保持部材２１〜２４の雌ねじ部２１ｃ〜２４ｃに取付ねじの足部を螺合する。
これにより枠部材２〜５は、矩形状に枠組みされる。そして外枠１は、枠外周角部が結合部材１１〜１４によって結合され、枠内側角部が保持部材２１〜２４によって補強される。
【００１８】
外枠１は、図１に示すように前枠３０を回動可能に保持するために、下蝶番固定部材７と結合部材１１に形成された軸受部１１ｄを有している。
下蝶番固定部材７は、幕板６の上面に取付けられる取付板部７ａと、左の枠部材３に取付けられる取付板部７ｂ，７ｃと、取付板部７ａの前端において上方に突出する回動支持部７ｄを有している。
軸受部１１ｄは、図５に示すように外枠１の左上角部に取付けられる結合部材１１に一体に形成されている。軸受部１１ｄは、結合部材１１の第一板部１１ａの左側前端縁から前方に鉤針状に延出し、前端リブ２ａを有していない枠部材２の左端部から枠部材２の前方へ張出している。
【００１９】
前枠３０は、図１に示すように板材であって、中央に開口部３０ａを有している。そして前枠３０には、図示省略の遊技盤や各種の機構装置、部品類などが取付けられる。
前枠３０の一側縁下部には、外枠１の下蝶番固定部材７に回動可能に設置される下蝶番可動部材３１が取付けられている。そして一側縁上部には、外枠１の軸受部１１ｄに回動可能に掛け止められる上蝶番可動部材３２が取付けられている。
【００２０】
以上のようにして外枠１および前枠３０が形成されている。
すなわち外枠１の枠部材２〜５は、図２，３に示すように前端リブ２ａ〜５ａと後端リブ２ｂ，２ｃ，３ｂ〜５ｂを備えている。そして結合部材１１〜１４は、枠部材２〜５の前端リブ２ａ〜５ａと後端リブ２ｂ，２ｃ，３ｂ〜５ｂとの間の枠外側面に取付けられる第一板部１１ａ〜１４ａと、他の枠部材２〜５の枠外側面に取付けられる第二板部１１ｂ〜１４ｂを備えている。
【００２１】
したがって結合部材１１〜１４を枠部材２〜５の枠外側面に取付けることができるため、結合部材を枠部材の枠内側面に取付ける従来のものよりも容易に結合部材１１〜１４を枠部材２〜５に取付けることができる。しかも結合部材１１〜１４を前端リブ２ａ〜５ａと後端リブ２ｂ，２ｃ，３ｂ〜５ｂとによって枠部材２〜５に対して位置決めすることができるため、結合部材１１〜１４を容易に枠部材２〜５に対して位置決めすることができる。
また枠部材２〜５は、前端リブ２ａ〜５ａと後端リブ２ｂ，２ｃ，３ｂ〜５ｂによって補強されているため、曲げや捩れに対して強い構成になっている。
【００２２】
図１〜３に示すように上下左右の枠部材２〜５のすべてが金属製（例えば、アルミニウム製）である。そしてこれら枠部材２〜５のすべてが、前端リブ２ａ〜５ａと後端リブ２ｂ，２ｃ，３ｂ〜５ｂを一体に備えている。
したがって外枠１は、上下左右において前端リブ２ａ〜５ａと後端リブ２ｂ，２ｃ，３ｂ〜５ｂを有しているために、全体的に曲げや捩りに対して強い構成になっている。
しかも枠部材２〜５を結合する結合部材１１〜１４をすべて前端リブ２ａ〜５ａと後端リブ２ｂ，２ｃ，３ｂ〜５ｂによって位置決めすることができる。そのため上下左右の枠部材２〜５を容易に枠組みすることができる。
【００２３】
また外枠１は、図３に示すようにほぼ全周に渡って前端リブ２ａ〜５ａと後端リブ２ｂ，２ｃ，３ｂ〜５ｂを有している。したがって外枠１は、これら前端リブ２ａ〜５ａと後端リブ２ｂ，２ｃ，３ｂ〜５ｂとによって曲げや捩れに対して強い構成になっている。
【００２４】
また枠部材２〜５には、取付ねじと雌ねじ部２１ｃ〜２４ｃを有する保持部材２１〜２４によって結合部材１１〜１４が取付けられている。そのため枠部材２〜５には、取付孔が形成されるものの、雌ねじ部が形成されていない。したがって枠部材２〜５がアルミニウム製であって、雌ねじ部が形成困難な場合であっても枠部材２〜５に結合部材１１〜１４を強固に取付けることができる。
【００２５】
（他の実施の形態）
本発明は、上記の実施の形態に限定されず、以下の形態であっても良い。
（１）すなわち上記の実施の形態では、枠部材がアルミニウム製であった。しかし枠部材が他の金属あるいは樹脂からなる金属製または樹脂製の枠部材であっても良い。
（２）また上記の実施の形態では、枠部材のすべてがアルミニウム製であって、これら枠部材のすべてが結合部材によって結合されていた。しかし枠部材２〜５の少なくとも一つが金属製（例えばアルミニウム製）または樹脂製であって、少なくとも一つの金属製または樹脂製の枠部材が結合部材によって他の枠部材に結合されている形態であっても良い。
（３）また上記の実施の形態に係る外枠１は、図３に示すように保持部材２１〜２４を有していた。しかし保持部材２１〜２４を有さずに、結合部材１１〜１４を貫通させた取付ねじの足部を枠部材２〜５に形成した雌ねじ部に取付ける形態であっても良い。あるいは結合部材１１〜１４を貫通させた取付ねじの足部の先端部に保持部材２１〜２４に代えてナットを螺合させる形態であっても良い。
【図面の簡単な説明】
【００２６】
【図１】外枠の前側からの斜視図である。
【図２】外枠の後側からの斜視図である。
【図３】枠組み途中の外枠の斜視図である。
【図４】組付け途中における上の枠部材の一部、左の枠部材の一部、および結合部材の斜視図である。
【図５】組付け後における上の枠部材の一部、左の枠部材の一部、および結合部材の斜視図である。
【図６】組付け途中における上の枠部材の一部、右の枠部材の一部、および結合部材の斜視図である。
【図７】組付け後における上の枠部材の一部、右の枠部材の一部、および結合部材の斜視図である。
【符号の説明】
【００２７】
１…外枠
２〜５…枠部材
２ａ〜５ａ…前端リブ
２ｂ，２ｃ，３ｂ〜５ｂ…後端リブ
６…幕板
１１〜１４…結合部材
１１ａ〜１４ａ…第一板部
１１ｂ〜１４ｂ…第二板部
２１〜２４…保持部材
３０…前枠
【図１】
2006340966.tif 000003
【図２】
2006340966.tif 000004
【図３】
2006340966.tif 000005
【図４】
2006340966.tif 000006
【図５】
2006340966.tif 000007
【図６】
2006340966.tif 000008
【図７】
2006340966.tif 000009